【手続補正書】
【提出日】平成19年8月16日(2007.8.16)
【手続補正１】
【補正対象書類名】特許請求の範囲
【補正対象項目名】全文
【補正方法】変更
【補正の内容】
【特許請求の範囲】
【請求項１】
隠匿物を検出する方法であって、
（ａ）物体の少なくとも一部の温度が変化する間に、前記物体の表面の少なくとも第１の部分の少なくとも１つの赤外線画像を取得するステップと、
（ｂ）前記少なくとも１つの赤外線画像において隠匿物を探すステップと、
を含んでいる方法。
【請求項２】
（ｃ）前記物体の前記少なくとも一部の温度を一時的に変化させることにより、前記温度の変化を生じさせるステップ、
をさらに含んでいる、請求項１に記載の方法。
【請求項３】
前記物体は人を含んでおり、前記人が着用している衣服の中に前記隠匿物が隠匿されている、請求項１に記載の方法。
【請求項４】
（ｄ）前記衣服を前記隠匿物に対して押圧するステップ、
をさらに含んでいる、請求項３に記載の方法。
【請求項５】
前記少なくとも１つの赤外線画像は、（１）約３ミクロン〜約５ミクロンの間および（２）約８ミクロン〜約１２ミクロンの間の波長域の少なくともいずれかにおいて取得される、請求項１から請求項４のいずれかに記載の方法。
【請求項６】
複数の前記赤外線画像が取得され、
（ｄ）前記赤外線画像を処理することにより前記物体の熱拡散率の測定値を得て、前記熱拡散率の前記測定値に従って前記隠匿物を探すステップ、
をさらに含んでいる、請求項１から請求項５のいずれかに記載の方法。
【請求項７】
前記処理は、デジタル処理、光学処理およびアナログ処理から選択される、請求項６に記載の方法。
【請求項８】
（ｄ）前記物体の表面の前記少なくとも第１の部分の前記少なくとも１つの赤外線画像とは異なる視点から、前記物体の前記表面の少なくとも第２の部分の少なくとも１つの赤外線画像を取得し、前記物体の前記表面の前記少なくとも第１の部分の前記少なくとも１つの赤外線画像と、前記物体の前記少なくとも第２の部分の前記少なくとも１つの赤外線画像との両方において、前記隠匿物を探すステップ、
をさらに含んでいる、請求項１から請求項７のいずれかに記載の方法。
【請求項９】
複数の前記赤外線画像が取得され、
（ｄ）前記物体の前記表面の前記少なくとも第１の部分の対応する複数の基準画像を取得するステップと、
（ｅ）前記赤外線画像と前記基準画像とを処理することにより前記物体の熱拡散率の測定値を得て、前記熱拡散率の前記測定値に従って、前記隠匿物を探すステップと、
をさらに含んでいる、請求項１に記載の方法。
【請求項１０】
前記処理は、デジタル処理、光学処理およびアナログ処理から選択される、請求項９に記載の方法。
【請求項１１】
前記基準画像は、可視波長域および近赤外波長域の少なくともいずれかにおいて取得される、請求項９または請求項１０に記載の方法。
【請求項１２】
前記赤外線画像と前記基準画像とは、実質的に同時に取得される、請求項９から請求項１１のいずれかに記載の方法。
【請求項１３】
（ｄ）前記少なくとも１つの赤外線画像において前記隠匿物が識別された場合、前記物体を固定するステップ、
をさらに含んでいる、請求項１から請求項１２のいずれかに記載の方法。
【請求項１４】
前記温度の一時的な変化は、前記温度の一時的な上昇または一時的な下降のいずれかである、請求項１から請求項１３のいずれかに記載の方法。
【請求項１５】
産業用途または医療用途のための、請求項１から請求項１４に記載の方法。
【請求項１６】
隠匿物を検出するシステムであって、
（ａ）前記隠匿物が隠匿されている物体の少なくとも一部の温度を一時的に変化させる機構と、
（ｂ）前記物体の表面の少なくとも第１の部分の赤外線画像を取得する第１のカメラと、
を備えている、システム。
【請求項１７】
前記機構は、前記温度を一時的に上昇または一時的に下降させるように作動する、請求項１６に記載のシステム。
【請求項１８】
前記第１のカメラは、（１）約３ミクロン〜約５ミクロンの間および（２）約８ミクロン〜約１２ミクロンの間の波長域の少なくともいずれかにおいて前記赤外線画像を取得するように作動する、請求項１６または請求項１７に記載のシステム。
【請求項１９】
（ｃ）前記第１のカメラによって取得された前記赤外線画像とは異なる視点から、前記物体の表面の少なくとも第２の部分の赤外線画像を取得する第２のカメラ、
をさらに備えている、請求項１６から請求項１８のいずれかに記載のシステム。
【請求項２０】
前記第１のカメラは、複数の前記赤外線画像を取得するように作動する、請求項１６から請求項１９のいずれかに記載のシステム。
【請求項２１】
（ｃ）前記赤外線画像を格納するメモリと、
（ｄ）前記赤外線画像を処理することにより前記隠匿物を識別するプロセッサと、
をさらに備えている、請求項２０に記載のシステム。
【請求項２２】
前記プロセッサは、デジタルプロセッサ、光学プロセッサおよびアナログプロセッサから選択される、請求項２１に記載のシステム。
【請求項２３】
（ｅ）前記物体の前記表面の前記少なくとも第１の部分の対応する複数の基準画像を取得する第２のカメラ、
をさらに備え、
前記メモリは、前記基準画像を格納するように作動し、
前記プロセッサは、前記赤外線画像と前記基準画像との両方を処理することにより前記隠匿物を識別するように作動する、請求項２１または請求項２２に記載のシステム。
【請求項２４】
前記第２のカメラは、前記基準画像を可視波長域において取得するように作動する、請求項２３に記載のシステム。
【請求項２５】
前記第１のカメラと前記第２のカメラとが共通の視野を有する、請求項２３に記載のシステム。
【請求項２６】
前記第１のカメラは、前記物体の前記表面の前記少なくとも第１の部分の対応する複数の基準画像を取得するように作動し、
前記メモリは、前記基準画像を格納するように作動し、
前記プロセッサは、前記赤外線画像と前記基準画像との両方を処理することにより前記隠匿物を識別するように作動する、請求項２１に記載のシステム。
【請求項２７】
前記第１のカメラは、前記基準画像を近赤外波長域において取得するように作動する、請求項２６に記載のシステム。
【請求項２８】
（ｅ）前記物体を固定する機構、
をさらに備えている、請求項１６から請求項２７のいずれかに記載のシステム。
【請求項２９】
請求項１６から請求項２８のいずれかに記載のシステムに使用され、隠匿物を検出する画像システムであって、
（ａ）前記隠匿物が隠匿されている物体の表面の少なくとも第１の部分の少なくとも１つの赤外線画像を取得する前記第１のカメラと、
（ｂ）前記少なくとも１つの赤外線画像を格納するメモリと、
（ｃ）前記少なくとも１つの赤外線画像を処理することにより前記隠匿物を識別するプロセッサと、を備え、
前記プロセッサは、前記赤外線画像を処理することにより前記物体の熱拡散率の測定値を得るよう構成され、前記熱拡散率の前記測定値に従って前記隠匿物を探す、システム。
【請求項３０】
前記プロセッサは、デジタルプロセッサ、光学プロセッサおよびアナログプロセッサから選択される、請求項２９に記載のシステム。
【請求項３１】
前記第１のカメラは、（１）約３ミクロン〜約５ミクロンの間および（２）約８ミクロン〜約１２ミクロンの間の波長域の少なくともいずれかにおいて前記赤外線画像を取得するように作動する、請求項２９または請求項３０に記載のシステム。
【請求項３２】
（ｄ）前記第１のカメラによって取得された前記赤外線画像とは異なる視点から、前記物体の表面の少なくとも第２の部分の赤外線画像を取得する第２のカメラ、
をさらに備えている、請求項２９から請求項３１のいずれかに記載のシステム。
【請求項３３】
前記第１のカメラは、複数の前記赤外線画像を取得するように作動する、請求項２９から請求項３２のいずれかに記載のシステム。
【請求項３４】
前記プロセッサは、前記複数の前記赤外線画像を処理することにより前記身体の熱拡散率の測定値を得て、前記熱拡散率の前記測定値に従って、前記隠匿物を探すように作動する、請求項３３に記載のシステム。
【請求項３５】
（ｄ）前記物体の前記表面の前記少なくとも第１の部分の対応する複数の基準画像を取得する第２のカメラ、
をさらに備え、
前記メモリは、前記基準画像を格納するように作動し、
前記プロセッサは、前記赤外線画像と前記基準画像との両方を処理することにより前記隠匿物を識別するように作動する、請求項３３または請求項３４に記載のシステム。
【請求項３６】
前記第２のカメラは、前記基準画像を可視波長域において取得するように作動する、請求項３５に記載のシステム。
【請求項３７】
前記第１のカメラと前記第２のカメラとは、共通の視野を有する、請求項３５または請求項３６に記載のシステム。
【請求項３８】
前記第１のカメラは、前記物体の前記表面の前記少なくとも第１の部分の対応する複数の基準画像を取得するように作動し、
前記メモリは、前記基準画像を格納するように作動し、
前記プロセッサは、前記赤外線画像と前記基準画像との両方を処理することにより前記隠匿物を識別するように作動する、請求項３３に記載のシステム。
【請求項３９】
前記第１のカメラは、前記基準画像を近赤外波長域において取得するように作動する、請求項３８に記載のシステム。